(57)【要約】【課題】操作性を向上させることができる暖房装置を提供する。【解決手段】洗面所・脱衣所の天井や側壁または浴室の天井や側壁に設置され、洗面所・脱衣所または浴室を暖房する暖房装置であって、リモコン２上で暖房開始の時刻を一旦設定しておき、毎日暖房ボタン１４を押すと、設定時刻になったときに、毎日、暖房運転を開始するよう構成されている。【選択図】　　　　図１
2004132590.tif 000002
【特許請求の範囲】
【請求項１】
洗面所・脱衣所の天井もしくは側壁に、または浴室の天井もしくは側壁に設置され、洗面所・脱衣所または浴室を暖房する暖房装置であって、
暖房開始の時刻を一旦設定しておくと、その設定時刻になったときに、毎日、暖房運転を開始する制御手段を備えたことを特徴とする暖房装置。
【請求項２】
洗面所・脱衣所の天井もしくは側壁に洗面所・脱衣所暖房ユニットが、浴室の天井もしくは側壁に浴室暖房ユニットがそれぞれ設置され、前記洗面所・脱衣所暖房ユニットで洗面所・脱衣所を、前記浴室暖房ユニットで浴室をそれぞれ暖房する暖房装置であって、
暖房開始の時刻を一旦設定しておくと、その設定時刻になったときに、毎日、前記洗面所・脱衣所暖房ユニットの暖房運転を開始する制御手段を備えたことを特徴とする暖房装置。
【請求項３】
洗面所・脱衣所の天井もしくは側壁に洗面所・脱衣所暖房ユニットが、浴室の天井もしくは側壁に浴室暖房ユニットがそれぞれ設置され、前記洗面所・脱衣所暖房ユニットで洗面所・脱衣所を、前記浴室暖房ユニットで浴室をそれぞれ暖房する暖房装置であって、
暖房開始の時刻を一旦設定しておくと、その設定時刻になったときに、毎日、前記洗面所・脱衣所暖房ユニットの暖房運転を開始するとともに、その暖房運転開始に連動させて前記浴室暖房ユニットの暖房運転も開始する制御手段を備えたことを特徴とする暖房装置。
【請求項４】
請求項１乃至３のいずれか１項に記載の暖房装置において、前記制御手段は、前記設定時刻よりも所定時間前に暖房運転を開始する早期モードを備えていることを特徴とする暖房装置。
【請求項５】
請求項１乃至３のいずれか１項に記載の暖房装置において、前記制御手段は、前記洗面所・脱衣所や前記浴室が設けられた戸別の建物内に人が居るか否かを検知する人感センサを有し、前記人感センサからの検知信号に基づいて、前記建物内に人が居ないと判断したときは、前記設定時刻になっても暖房運転を開始しないことを特徴とする暖房装置。
【発明の詳細な説明】
【０００１】
【発明の属する技術分野】
本発明は、洗面所・脱衣所や浴室を予め暖めておく予備暖房機能を有する暖房装置に関する。
【０００２】
【従来の技術】
最近、洗面所・脱衣所や浴室に暖房装置を設置する人が増えている。このような暖房装置は、洗面所・脱衣所や浴室の天井または側壁に設置され、洗面所・脱衣所の内部や浴室の内部を強制的に暖めることができる。
【０００３】
ここで、「洗面所・脱衣所」とは、「洗面所または脱衣所」という意味と、「洗面所および脱衣所」という意味と、「洗面所と脱衣所」が１つの室として利用しているすべての場合を意味する。また、洗面所とは脱衣所でもよく、両方で１つの室のものも含まれる。以下の説明でも同様である。
【０００４】
そして、洗面所・脱衣所に設置される暖房装置は、暖房、換気および涼風の機能を有し、また浴室に設置される暖房装置は、暖房、換気、涼風および乾燥の機能を有している。
【０００５】
また、上記のような暖房装置に時刻管理可能なタイマーを備え、このタイマーに運転開始時刻を設定しておくと、その設定時刻になったときに暖房を開始して、洗面所・脱衣所の内部や浴室の内部を予め暖めておく、いわゆる予備暖房機能を有するものが提案されている（例えば、特許文献１、特許文献２参照）。
【０００６】
冬場などは洗面所・脱衣所や浴室は屋内とはいえ気温が低く、体力の弱い老人や高血圧の人がいきなり入るのはできるだけ避けた方がよいから、予備暖房機能を用いて洗面所・脱衣所の内部や浴室の内部を予め暖めておくことは、健康管理の面からも好ましいことである。
【０００７】
【特許文献１】
特開平１１−１５９８１６号公報
【特許文献２】
特開２００２−３９５８６号公報
【０００８】
【発明が解決しようとする課題】
しかしながら、上記従来の技術では、予備暖房が一度実行されると、予備暖房開始時刻の設定が自動的に解除されてしまい、再度、予備暖房を実行させたいときは、再び予備暖房開始の操作をしなければならず、非常に煩わしい。通常、洗面所・脱衣所や浴室を利用するのは、毎日ほぼ決まった時刻である場合が多く、毎日ほぼ決まった時刻に予備暖房を開始させる操作は無駄なことである。
【０００９】
本発明の課題は、上記問題点に鑑み、操作性を向上させることができる暖房装置を提供することにある。
【００１０】
【課題を解決するための手段】
上記課題を解決するために、請求項１に記載の発明は、洗面所・脱衣所の天井もしくは側壁に、または浴室の天井もしくは側壁に設置され、洗面所・脱衣所または浴室を暖房する暖房装置であって、暖房開始の時刻を一旦設定しておくと、その設定時刻になったときに、毎日、暖房運転を開始する制御手段を備えたことを特徴としている。
【００１１】
上記構成によれば、暖房開始の時刻を一旦設定しておくと、その設定時刻になったときに、毎日、暖房運転が開始され、洗面所・脱衣所や浴室を予め暖めておくことができる。
【００１２】
また、請求項２に記載の発明は、洗面所・脱衣所の天井もしくは側壁に洗面所・脱衣所暖房ユニットが、浴室の天井もしくは側壁に浴室暖房ユニットがそれぞれ設置され、前記洗面所・脱衣所暖房ユニットで洗面所・脱衣所を、前記浴室暖房ユニットで浴室をそれぞれ暖房する暖房装置であって、暖房開始の時刻を一旦設定しておくと、その設定時刻になったときに、毎日、前記洗面所・脱衣所暖房ユニットの暖房運転を開始する制御手段を備えたことを特徴としている。
【００１３】
上記構成の場合も、暖房開始の時刻を一旦設定しておくと、その設定時刻になったときに、毎日、暖房運転が開始されるので、洗面所・脱衣所を予め暖めておくことができる。ここで、洗面所・脱衣所暖房ユニットとは、暖房機能を有するユニットであり、換気、涼風機能等があるものも含まれる。また、浴室暖房ユニットも暖房機能があればよく、換気、涼風、乾燥機能等があるものも含まれる。以下の説明でも同様である。
【００１４】
また、請求項３に記載の発明は、洗面所・脱衣所の天井もしくは側壁に洗面所・脱衣所暖房ユニットが、浴室の天井もしくは側壁に浴室暖房ユニットがそれぞれ設置され、前記洗面所・脱衣所暖房ユニットで洗面所・脱衣所を、前記浴室暖房ユニットで浴室をそれぞれ暖房する暖房装置であって、暖房開始の時刻を一旦設定しておくと、その設定時刻になったときに、毎日、前記洗面所・脱衣所暖房ユニットの暖房運転を開始するとともに、その暖房運転開始に連動させて前記浴室暖房ユニットの暖房運転も開始する制御手段を備えたことを特徴としている。
【００１５】
上記構成によれば、暖房開始の時刻を一旦設定しておくと、その設定時刻になったときに、毎日、洗面所・脱衣所暖房ユニットの運転が開始されて洗面所・脱衣所を予め暖めておくことができるとともに、洗面所・脱衣所暖房ユニットの運転開始に連動して、浴室暖房ユニットの運転が開始されて浴室も予め暖めておくができる。
【００１６】
また、請求項４に記載の発明では、前記制御手段は、前記設定時刻よりも所定時間前に暖房運転を開始する早期モードを備えていることを特徴としている。
【００１７】
厳冬期においては、洗面所・脱衣所や浴室が暖かくなるまでに時間が掛かるため、通常の設定時刻では洗面所が十分に暖かくなっていない場合がある。上記構成によれば、設定時刻よりも所定時間前に暖房運転を開始することができるので、利用者が利用するときには、洗面所・脱衣所や浴室を十分に暖めておくことが可能となる。
【００１８】
さらに、請求項５に記載の発明では、前記制御手段は、前記洗面所・脱衣所や前記浴室が設けられた戸別の建物内に人が居るか否かを検知する人感センサを有し、前記人感センサからの検知信号に基づいて、前記建物内に人が居ないと判断したときは、前記設定時刻になっても暖房運転を開始しないことを特徴としている。
【００１９】
暖房開始の時刻を一旦設定しておくと、その設定時刻になったときに、毎日、暖房運転が開始されるようにすると、留守のときでも暖房運転が実行され、電気エネルギーが無駄に消費される。上記構成によれば、人感センサによって、戸別の建物内に人が居るか否かが検知され、居ない場合は、設定時刻になっても暖房運転は開始されず、電気エネルギーの無駄な消費を防止できる。
【００２０】
【発明の実施の形態】
以下、本発明の実施の形態を図面に従って説明する。
（実施の形態１）
図１は実施の形態１による暖房装置の全体構成図である。この暖房装置は、洗面所の天井または側壁に設置される洗面所暖房機１と、洗面所暖房機１を操作するためのリモコン２とを備えている。洗面所暖房機１には、図示してないが、ヒータと、このヒータで暖められた空気を洗面所内に送風するファンと、送風方向を変化させるダンパと、ファンを回転駆動するモータ等が設けられている。
【００２１】
リモコン２には、制御回路３および記憶部４を備えたマイコン５と、表示部６と、操作部７とが設けられている。制御回路３は記憶部４に電気的に接続され、さらに制御回路３は表示部６および操作部７にも電気的に接続されている。また、制御回路３はリモコンコード８を介して洗面所暖房機１に電気的に接続されている。本実施の形態ではマイコン５は制御手段を構成している。
【００２２】
リモコン２のケース表面には、図２に示すように、７セグメントＬＥＤまたはＬＣＤで構成した表示部６と、操作部７の各操作ボタンが設けられている。操作部７の操作ボタンとして、暖房ボタン１１、換気ボタン１２、涼風ボタン１３、毎日暖房ボタン１４、入タイマーボタン１５、切タイマーボタン１６、入りタイマー状態を示す入タイマーランプ１５Ｌ、切りタイマー状態を示す切タイマーランプ１６Ｌ、およびタイマー設定ボタン１７，１８が取り付けられている。タイマー設定ボタン１７は上向きの矢印形に、またタイマー設定ボタン１８は下向きの矢印形にそれぞれ形成され、タイマー設定ボタン１７を押すと表示部６上の時間は増加し、タイマー設定ボタン１８を押すと表示部６上の時間は逆戻りする。このタイマー設定ボタン１７，１８は、入タイマーボタン１５が押された際は、動作開始する時刻を設定する操作にも使用される。すなわち、タイマー設定ボタン１７を押すと表示部６には動作開始する時刻が表示されると共に進み、タイマー設定ボタン１８を押すと表示部６の時刻は逆戻りする。午前はＡＭ、午後はＰＭの文字が表示部６の一部分に表示されようになっている。
【００２３】
また、リモコン２には、暖房ボタン１１、換気ボタン１２、涼風ボタン１３、および毎日暖房ボタン１４の上方に、インジケータランプ１９〜２２が取り付けられている。暖房ボタン１１を押すと、洗面所暖房機１のヒータで暖められた空気が送風されて洗面所の暖房が行われるととともに、インジケータランプ１９が点灯する。暖房を止めるには暖房ボタン１１を再度押す。このときインジケータランプ１９は消灯する。換気ボタン１２を押すと、洗面所暖房機１は外気を取り入れて洗面所内を換気するとともに、インジケータランプ２０が点灯する。換気を止めるには換気ボタン１２を再度押す。このときインジケータランプ２０は消灯する。涼風ボタン１３を押すと、洗面所暖房機１はヒータによる暖房はせずに送風だけして涼風を実行するとともに、インジケータランプ２１が点灯する。涼風を止めるには涼風ボタン１３を再度押す。このときインジケータランプ２１は消灯する。なお、毎日暖房ボタン１４とインジケータランプ２２については後述する。
【００２４】
上記構成において、通常運転する場合は、暖房、換気、および涼風モードのうちから、行いたい空調モードを選択し、さらにその空調モードの運転時間を選択する。運転時間は暖房、換気、または涼風の各モード毎に予めタイマーの標準時間が設定されている。そして、切タイマーボタン１６を押して切りタイマーモードを選択する。このとき、切タイマーランプ１６Ｌが点灯する。このように、本実施の形態の暖房装置では、図示していない２４時間換気モードを除いて、通常運転はすべて切りタイマモードで行うようになっている。
【００２５】
また、予め開始時刻を設定しておき、その時刻になったときに、予備暖房、換気、または涼風を実行させたい場合は、入タイマボタン１５を押して入りタイマーモードにする。そして、予備暖房、換気、および涼風モードのうちから、行いたい空調モードを選択し、さらに運転開始時刻およびその運転時間を設定する。運転開始時刻と運転時間の設定は、タイマー設定ボタン１７，１８を操作しながら行う。それらの設定データは記憶部４に記憶される。この入りタイマーモードでは、一度運転が実行されると、記憶部４内の設定データは設定された値に更新される。
【００２６】
本実施の形態では、上記入りタイマーモードとは別に、設定した時刻になると毎日暖房を行う毎日暖房モードが設けられている。この毎日暖房モードを行うには、毎日暖房ボタン１４を押し、さらにタイマー設定ボタン１７，１８を操作して、毎日暖房の開始時刻を設定しておく。この設定データは記憶部４に記憶され、再度設定するまで、記憶部４に保持される。なお、毎日暖房の開始時刻については、１日について複数回設定できる。例えば、１日のうち、朝方と夕方に設定しておけば、朝夕の２回毎日暖房を実行することができる。
【００２７】
次に、上記構成の暖房装置が毎日暖房を実行する際の動作について、図３を用いて説明する。
【００２８】
先ず、制御回路３は毎日暖房ボタン１４が押されているか否かを判断する（ステップＳ１）。毎日決まった時間に洗面所を予備暖房しておきたいとき、利用者は毎日暖房ボタン１４を押しておく。毎日暖房ボタン１４が押されていると、制御回路３に割り込み信号が入力されるので、制御回路３は、この割り込み信号入力を検知することにより、毎日暖房ボタン１４が押されている（ＯＮである）と判断することができる。なお、毎日暖房ボタン１４が押されていると、インジケータランプ２２が点灯し、現在、暖房装置が毎日暖房モードに設定されていることを示す。
【００２９】
制御回路３にはタイマーが設けられ、現在の時刻が、記憶部４に記憶された毎日暖房の設定時刻になったか否か判断する（ステップＳ２）。毎日暖房の設定時刻になったときは、洗面所暖房機１のヒータに通電を行い、洗面所の予備暖房運転を開始する（ステップＳ３）。これにより、洗面所を予め暖めておくことができ、寒い日でも利用者は快適に洗面所を利用できる。また、予備暖房運転の開始と同時にインジケータランプ１９が点灯し、暖房中であることが表示される。
【００３０】
洗面所の使用が終了したら、利用者が毎日暖房ボタン１４を押すと予備暖房運転は終了するが、本実施の形態では、毎日暖房ボタン１４を押さなくても、自動的に暖房運転が終了するようになっている。すなわち、洗面所の使用終了が、制御回路３は、現在の時刻が、記憶部４に記憶された設定時間経過したか否か判断する（ステップＳ４）。設定時間経過したときは、暖房運転を停止する（ステップＳ５）。暖房運転が停止すると、インジケータランプ１９は消灯する。
【００３１】
暖房運転が終了したら、制御回路３は、予備暖房について設定データ（毎日暖房の設定時刻と設定時間のデータ）が更に記憶部４内にあるか否かを判断し（ステップＳ６）、データがあればステップＳ２に戻り、その設定時刻になったとき、上記と同様に予備暖房運転を行う。朝夕の毎日決まった時刻に洗面所を利用するときは、朝夕の２回予備暖房するようにすれば、利用者は洗面所を快適に利用できる。
【００３２】
更なる毎日暖房の設定がなければ、２４時間経過した否か、つまり１日が終了したか否かを判断し（ステップＳ７）、終了していればステップＳ１に戻り、翌日に備える。
【００３３】
毎日暖房ボタン１４が押されていないときは、制御回路３に割り込み信号が入力されず、ステップＳ１からステップＳ８に進み、暖房ボタン１１が押されたときだけ暖房運転を行う通常運転が実行される。
【００３４】
本実施の形態によれば、毎日暖房の開始時刻を一度設定しておけば、ステップＳ１〜Ｓ７の処理が繰り返されるので、毎日設定し直す手間が省け、非常に便利である。
【００３５】
なお、本実施の形態では洗面所に設置される暖房装置について説明してきたが、本実施の形態の暖房装置は脱衣所に設置することも可能である。
【００３６】
（実施の形態２）
次に、実施の形態２について説明する。厳冬期においては、暖かくなるまでに時間が掛かるため、通常の設定時刻では洗面所が十分に暖かくなっていないことが予想される。そこで、本実施の形態では、洗面所が暖かくなるまでの所要時間を見越して、設定時刻よりも所定時間（例えば１０分）前から暖房運転を開始する早期モードを備えている。
【００３７】
本実施の形態においては、図４に示すように、リモコン２に早期モードボタン２３とインジケータランプ２４が設けられている。そして、毎日暖房ボタン１４を押した状態で早期モードボタン２３を押すと、早期モードが設定される。このとき、インジケータランプ２２と共にインジケータランプ２４が点灯する。早期モードを解除するには、再度、早期モードボタン２３を押す。早期モードが解除されると、インジケータランプ２４は消灯する。
【００３８】
本実施の形態によれば、設定した時刻よりも所定時間前から暖房運転が開始されるため、厳冬期においても洗面所を十分に予備暖房することができ、利用者は洗面所を快適に利用できる。
【００３９】
なお、本実施の形態の暖房装置も脱衣所に設置することができる。この場合、脱衣所では利用者は裸体の状態となるので、体力の弱い老人や高血圧の人にとっては、脱衣所を十分に予備暖房しておくことは健康管理の面からも非常に好ましいことである。
【００４０】
（実施の形態３）
次に、実施の形態３について説明する。毎日暖房ボタン１４を押すと、毎日決まった時間の予備暖房が実行され便利ではあるが、毎日暖房の解除を忘れて出張や旅行に出かけてた場合、設定時刻になると、予備暖房が毎日実行されてしまい、電気が無駄に消費される。
【００４１】
そこで、本実施の形態では、図５に示すように、洗面所が設けられた戸別の建物内に人が居るか否かを検知する人感センサ２５が設けられ、人感センサ２５での検知信号が制御回路３に入力されるようになっている。そして制御回路３は、図６に示すように、人感センサ２５からの検知信号に基づいて建物内に人が居るか否か判断し（ステップＳ２１）、人が居ないと判断したときは、設定時刻になっても暖房運転を開始しないようにする。なお、図６において、ステップＳ１〜Ｓ２およびステップＳ３〜Ｓ８の処理は図３と同じであるから、ここでは詳細な説明は省略する。
【００４２】
また、人感センサ２５は、人の体温を検知する赤外線感知センサ、人の音声を検知する音センサ、または人が動いたときの振動を検知する振動センサ等からなり、検出精度を向上させるため、人が存在する時間が多い居室、寝室、廊下、またはトイレ等に１ヶ所以上設けるのが良い。
【００４３】
なお、人感センサ２５は、居室、寝室、廊下等の複数室に設けておき、前記複数の人感センサ２５より、建物内に人がいるか否かを判断することが好ましい。
【００４４】
本実施の形態によれば、人が居ない留守の場合は、予備暖房運転が実行されないので、電気が無駄に消費されるのを回避できる。
【００４５】
（実施の形態４）
次に、実施の形態４について説明する。図７は、脱衣所３０と浴室３１の概略図である。脱衣所３０の天井３０Ａには脱衣所暖房ユニット３２が、浴室３１の天井３１Ａには浴室暖房ユニット３３がそれぞれ設置されている。なお、脱衣所暖房ユニット３２を脱衣所３０の側壁に設置してもよいし、また浴室暖房ユニット３３を浴室３１の側壁に設置してもよい。
【００４６】
脱衣所３０の側壁にはリモコン２とリモコン３４が取り付けられている。リモコン２は図２に示したものと同じもので、脱衣所暖房ユニット３２の運転をコントロールする。
【００４７】
リモコン３４は浴室暖房ユニット３３の運転をコントロールし、図８に示すように、表示部３５、暖房ボタン３６、換気ボタン３７、涼風ボタン３８および乾燥ボタン３９が設けられている。そして、各ボタンに対応してインジケータランプ４０〜４２が取り付けられている。表示部３５、暖房ボタン３６、換気ボタン３７、涼風ボタン３８およびインジケータランプ４０〜４２は、リモコン２の表示部２、暖房ボタン１１、換気ボタン１２、涼風ボタン１３およびインジケータランプ１９〜２１とそれぞれ同じ機能を有している。また、表示部３５の横方にはタイマー設定ボタン４３，４４が設けられている。これらタイマー設定ボタン４３，４４はリモコン２のタイマー設定ボタン１７，１８と同じ機能を有している。さらに、乾燥ボタン３９に対応してインジケータランプ４５が取り付けられている。なお、図７において４６は浴槽である。４７は、脱衣所暖房ユニット３２が暖房動作開始したら、それに連動して浴室暖房ユニット３３も暖房動作開始させるための連動制御信号線である。
【００４８】
乾燥ボタン３９を押すと、浴室暖房ユニット３３のヒータで暖められた空気が浴室３１内に送風され、浴室３１内に干した洗濯物等を乾燥させることができる。乾燥ボタン３９を押すと、インジケータランプ４５が点灯する。また、乾燥ボタン３９を再度押すと、暖められた空気の送風が止まり、同時にインジケータランプ４５が消灯する。
【００４９】
本実施の形態では、リモコン２に暖房開始の時刻を一旦設定しておくと、その設定時刻になったときに、毎日、脱衣所暖房ユニット３２が予備暖房運転を開始するとともに、その暖房運転の開始に連動して、浴室暖房ユニット３３が予備暖房運転を開始する。
【００５０】
また、本実施の形態では、脱衣所暖房ユニット３２が暖房運転を開始してから所定時間経過したら、脱衣所暖房ユニット３２は暖房運転を停止するが、浴室暖房ユニット３３は利用者が浴室３１内に居るときは暖房運転を継続する。そして、利用者が浴室３１から出たことをセンサ等で検知して、その検知情報に基づいて脱衣所暖房ユニット３２が暖房運転を開始するよう構成されている。
【００５１】
本実施の形態によれば、脱衣所３０と浴室３１との温度差を小さくすることができ、入浴が快適なものとなる。
【００５２】
なお、上記構成の暖房装置において、リモコン２に対して暖房開始の時刻を一旦設定しておくと、その設定時刻になったときに、毎日、脱衣所暖房ユニット３０だけが暖房運転を開始するように構成することもできる。
【００５３】
（実施の形態５）
次に、実施の形態５について説明する。本実施の形態では、毎日暖房運転モードが洗面所・脱衣所ユニットに設けられ、浴室暖房と関係なく、これらの室内で、暖房運転が開始されるようになっている。これにより、冬場の朝等で入浴せず、浴室暖房が必要ない場合であっても、脱衣所のみを暖かくできる。
【００５４】
【発明の効果】
以上説明したように、本発明によれば、暖房開始の時刻を一旦設定しておくだけで、毎日、予備暖房運転が実行されるので、暖房開始の時刻の設定し直しの手間が省け、操作性の良い暖房装置を得ることができる。
【図面の簡単な説明】
【図１】実施の形態１による暖房装置の全体構成図である。
【図２】図１の暖房装置におけるリモコンの正面図である。
【図３】図１の暖房装置で予備暖房を行う際のフローチャートである。
【図４】実施の形態２による暖房装置におけるリモコンの正面図である。
【図５】実施の形態３による暖房装置の全体構成図である。
【図６】図５の暖房装置で予備暖房を行う際のフローチャートである。
【図７】実施の形態４による暖房装置の全体構成図である。
【図８】図７の暖房装置におけるリモコンの正面図である。
【符号の説明】
１　洗面所暖房機
２　リモコン
３　制御回路
４　記憶部
５　マイコン
６　表示部
７　操作部
１４　毎日暖房ボタン
１５　入タイマーボタン
１６　切タイマーボタン
２３　早期モードボタン
２５　人感センサ
３０　脱衣所
３１　浴室
３２　脱衣所暖房ユニット
３３　浴室暖房ユニット
３４　リモコン
【図１】
2004132590.tif 000003
【図２】
2004132590.tif 000004
【図３】
2004132590.tif 000005
【図４】
2004132590.tif 000006
【図５】
2004132590.tif 000007
【図６】
2004132590.tif 000008
【図７】
2004132590.tif 000009
【図８】
2004132590.tif 000010